(57)【要約】【課題】  簡単な組立が可能であり、かつさまざまな要求に簡単に適合させることができる液圧式マウントを提供する。【解決手段】  本発明の液圧式マウントは、支承部（２）及び実質上円筒形状のマウント支持部（３）、これらを介するばね体（４）並びに支承部（２）に対して軸方向で対向するように配設されているダイアフラム（５）を含む液圧式減衰マウント（１）であって、支承部（２）、マウント支持部（３）、ばね体（４）及びダイアフラム（５）が、減衰液で満たされている室部（６）の境界を画定するものにおいて、ダイアフラム（５）が室部（６）に対向する側にフランジ部（７）を備え、このフランジ部（７）が、相補的なショルダー部（８）を形成する前記マウント支持部（３）の断面漸減部に配置されていることを特徴とする。【選択図】  図１
2006226528.tif 000002
【特許請求の範囲】
【請求項１】
支承部（２）及び実質上円筒形状のマウント支持部（３）、これらを介するばね体（４）並びに該支承部（２）に対して軸方向で対向するように配設されているダイアフラム（５）を含む液圧式減衰マウント（１）であって、該支承部（２）、該マウント支持部（３）、該ばね体（４）及び該ダイアフラム（５）が、減衰液で満たされている室部（６）の境界を画定するものにおいて、
前記ダイアフラム（５）が前記室部（６）に対向する側にフランジ部（７）を備え、このフランジ部（７）が、相補的なショルダー部（８）を形成する前記マウント支持部（３）の断面漸減部に配置されていることを特徴とする液圧式減衰マウント。
【請求項２】
前記ダイアフラム（５）が、その外周部に金属材料からなるリング（９）を備えていることを特徴とする請求項１に記載の液圧式減衰マウント。
【請求項３】
前記ダイアフラム（５）が弾性材料から形成され、この弾性材料が前記リング（９）の全側面を取り囲んでいることを特徴とする請求項２に記載の液圧式減衰マウント。
【請求項４】
前記ダイアフラム（５）が、摩擦力及び／又は嵌合による結合によって前記マウント支持部（３）に保持されていることを特徴とする請求項１から３のいずれか一項に記載の液圧式減衰マウント。
【請求項５】
前記ダイアフラム（５）が、その外周に凸凹状輪郭部（10）を有することを特徴とする請求項１から４のいずれか一項に記載の液圧式減衰マウント。
【請求項６】
前記ばね体（４）が弾性材料から形成され、かつその外周部に、実質上円筒形状に形成された補強部材（11）を有し、この補強部材が少なくとも部分的に当該ばね体（４）を形成する弾性材料によって取り囲まれていることを特徴とする請求項１から５のいずれか一項に記載の液圧式減衰マウント。
【請求項７】
前記マウント支持部（３）が、その外周に固定用フランジ（12）を備えていることを特徴とする請求項１から６のいずれか一項に記載の液圧式減衰マウント。
【請求項８】
前記ばね体（４）と前記支承部（２）が、予め組立て可能なユニットとして形成されていることを特徴とする請求項１から７のいずれか一項に記載の液圧式減衰マウント。
【請求項９】
前記支承部（２）に、前記室部（６）の室中に突出する盤状部材（13）が配設されていることを特徴とする請求項１から８のいずれか一項に記載の液圧式減衰マウント。
【請求項１０】
前記室部（６）内に流路式マウント（14）が配設され、この流路式マウントによって当該室部（６）が作動室（15）と平衡室（16）に分離されていることを特徴とする請求項１から９のいずれか一項に記載の液圧式減衰マウント。
【請求項１１】
前記マウント支持部（３）が、前記支承部（２）と軸方向で反対側に設けられているカバー（17）を備えていることを特徴とする請求項１から１０のいずれか一項に記載の液圧式減衰マウント。
【請求項１２】
前記マウント支持部（３）の前記支承部（２）に対向する側に、少なくとも部分的にフランジが形成されていることを特徴とする請求項１から１１のいずれか一項に記載の液圧式減衰マウント。
【発明の詳細な説明】
【技術分野】
【０００１】
本発明は液圧式マウントに関する。より詳細には、本発明は、支承部及び実質上円筒形状のマウント支持部と、それらを介するばね体と、支承部に対して軸方向の反対側に、軸方向で対向するように配設されているダイアフラムとを含む液圧式減衰マウントであって、支承部、マウント支持部、ばね体、ダイアフラムが、減衰液で満たされている室部の境界を画定している液圧式減衰マウントに関する。
【背景技術】
【０００２】
上記のような形式のマウントは公知である（例えば特許文献１参照）。特許文献１に記載のマウントは、円筒形状の部分をもつダイアフラムを有する。このダイアフラムの円筒形状部分は、マウント支持部の円筒形状の内壁に密着し、それによって減衰液で満たされた室部の内壁を形成する。ダイアフラムの外周には、マウント支持部の内壁に接触し、かつマウント支持部とばね体の間の中間層を形成するリングが配設されていて、このような構成であることにより、このマウントの組立にはコストがかかる。
【特許文献１】欧州特許第0809040号明細書
【発明の開示】
【発明が解決しようとする課題】
【０００３】
本発明は、特に簡単な組立が可能であり、かつさまざまな要求に簡単に適合させることができるマウントの提供を課題とする。
【課題を解決するための手段】
【０００４】
上記の課題は、支承部及び実質上円筒形状のマウント支持部と、これらを介するばね体と、支承部に対して軸方向の反対側に、軸方向で対向するように配設されているダイアフラムとを含む液圧式減衰マウントであって、支承部、マウント支持部、ばね体、ダイアフラムが、減衰液で満たされている室部の境界を画定するものにおいて、ダイアフラムが室部に対向する側、すなわちその端部にフランジ部を備え、このフランジ部が、相補的なショルダー部を形成するマウント支持部の断面漸減部に配置されていることを特徴とする液圧式減衰マウントによって解決される。すなわち上記課題は、上述した形式の液圧式減衰マウントであって、それが請求項１に記載の特徴部を有することによって解決される。有利な実施形態は従属形式の請求項に関連する。
【０００５】
上記の課題を解決するために、上述の形式のダイアフラムには、室部に対向する端面又はその端部にフランジ部が設けられ、このフランジ部は、このフランジ部と相補的な、半径が減少して半径方向内側に突出するショルダー部を形成するマウント支持部の断面漸減部に配置される。組立の際、ダイアフラムのフランジ部がマウント支持部の相補的なショルダー部に当接するまで、ダイアフラムはマウント支持部に押し込まれる。このような構成であることによって、ダイアフラムの組立が簡単になる。ダイアフラムのフランジ部が正しい組立によって、その全周にわたって相補的なショルダー部に接触するので、組立の最中に、すでにダイアフラムの正しい位置決めを確定することができる。マウント支持部内に取り付けられる構成要素が相互に接触することを必要としないために、これらの構成要素の組立を互いに独立して行なうことができ、したがって使用するケースに応じて種々に設計される構成要素を相互に組み合わせることができる。このような構成であることによって、構成要素をモジュールの種類に応じて組み合わせることができる液圧式減衰マウントを得ることができる。
【０００６】
ダイアフラムの外周部に金属材料からなるリングを設けることができる。金属製のリングをダイアフラムの外周近傍に設けることによって、ダイアフラムの安定性を高めることができる。リングにフランジを設けることができる。このような付加的なフランジをリングに設けることにより、例えばマウントに高い動的負荷が作用した場合に発生することのある室部の高い内圧に対するダイアフラムの安定性を高めることができる。
【０００７】
ダイアフラムを弾性材料から形成することができ、この弾性材料によって金属製のリングの全側面を取り囲むことができる。この構成により液密なダイアフラムを得ることができる。
【０００８】
摩擦力及び／又は嵌合による（形状に基づく）結合によって、ダイアフラムをマウント支持部内に保持することができる。連結された後、摩擦力及び／又は嵌合による（形状に基づく）結合によって、ダイアフラムをマウント支持部内に十分にかつ密に固定することができるので、例えば接着のような、付加的な組立工程を省略することができる。
【０００９】
ダイアフラムの外周を輪郭付け、ダイアフラムの外周に凸凹状輪郭部又はぎざぎざ状の溝を設けることができる。このような輪郭、凸凹状輪郭部によってダイアフラムの密閉性を高めることできる。またこの凸凹状輪郭部によってダイアフラムの外周における柔軟性を高めることができ、さらに組立を簡単に行うことができる。
【００１０】
ばね体を弾性材料から形成することができ、かつばね体の外周部に、実質上円筒形状に形成されている補強部をなす補強部材又は補強リング設け、ばね体を形成するエラストマー又は弾性材料によって、この補強リングを少なくとも部分的に取り囲むことができる。この補強リングによって、ばね体の安定性をその外周部で高めることができ、これにより形状が安定し、よってばね体の組立を簡単に行うことができる。
【００１１】
マウント支持部の外周に固定用フランジを設けることができる。マウント支持部の外周に設けられた固定用フランジを介して隣接する部品にマウントを固定することができる。
【００１２】
ばね体と支承部を予め組立て可能なユニットとして形成することができる。この場合、弾性材料からなるばね体を支承部及び補強リングに加硫接合することができる。簡単な手段を利用して、この予め組立て可能なユニットを、リング状の支持部、マウント支持部内に押し込むことができる。
【００１３】
一実施形態において、室部中に突出する盤状部材を支承部に配設することができる。この盤状部材は、室部中に存在する減衰液の押出しに基づいて、ばね体の動きを減衰する減衰要素として作用する。
【００１４】
代替的な実施形態において、室部内に流路式マウントを配設することができ、この流路式マウントによって室部を作動室と平衡室に分離することができる。流路式マウントによって、同じくばね体の動きを減衰することができる。流路式マウントを、盤状部材と組み合わせてマウントに配設することができる。盤状部材及び流路式マウントは互いに異なる振動数範囲で最適な減衰特性を有するため、したがって最適な減衰の振動数領域を拡大することができる。
【００１５】
マウント支持部の支承部とは反対側にカバーを設けることができる。カバーをダイアフラム側のマウント支持部に設けることにより、ダイアフラムを外的な影響による損傷から保護し、かつマウント支持部の剛性を高めることができる。摩擦力による結合、嵌合による（形状に基づく）結合及び／又は物質による結合によって、このカバーをマウントに配設することができ、マウント支持部と均一な材料から、一体的に形成することもできる。
【００１６】
マウント支持部の支承部に対向する側又は隣接する部分に、フランジを少なくとも部分的に形成することができる。このような構成によって、マウント支持部同士、及び支承部とマウント支持部を、紛失を防止することができる仕方で互いに結合することができ、このような形態は特に輸送の際及び組立の最中に有利である。
【発明の効果】
【００１７】
本発明は、支承部（２）及び実質上円筒形状のマウント支持部（３）、これらを介するばね体（４）並びに支承部（２）に対して軸方向で対向するように配設されているダイアフラム（５）を含む液圧式減衰マウント（１）であって、支承部（２）、マウント支持部（３）、ばね体（４）及びダイアフラム（５）が、減衰液で満たされている室部（６）の境界を画定するものにおいて、ダイアフラム（５）が室部（６）に対向する側又はその端部にフランジ部（７）を備え、このフランジ部（７）が、相補的なショルダー部（８）を形成する前記マウント支持部（３）の断面漸減部に配置されていることを特徴とする液圧式減衰マウントに関する。このような構成であることによって、特に簡単な組立が可能であり、かつさまざまな要求に簡単に適合させることができる液圧式減衰マウントを提供することが可能となる。
【発明を実施するための最良の形態】
【００１８】
さらに本発明によるマウントのいくつかの実施例を図１〜３に基づき説明する。これらの図は、それぞれ概略的に本発明のマウントを示している。
【００１９】
これらの図には、支承部２及び概略円筒形状のマウント支持部３を備える液圧式減衰マウント１を示す。支承部２とマウント支持部３は、ばね体４を介して結合されている。マウント支持部３の、支承部２に対して軸方向の反対側に、弾性材料からなるダイアフラム５が配設されている。ダイアフラム５は、摩擦力及び嵌合による（形状に基づく）結合によってマウント支持部３内に保持、固定されている。ダイアフラム５の外周部に金属材料からなるリング９が配設され、ダイアフラム５を形成する弾性材料がこの金属材料製のリングの全側面を取り囲んでいる。ダイアフラム５の外周には、断面をぎざぎざ状にする溝又は凸凹状輪郭部10が形成されている。マウント支持部３内でダイアフラム５を固定するために、ダイアフラム５には室部６に対向する側又はその端部にフランジ部７が形成され、このフランジ部７は、フランジ部７と相補的な、半径が減少して半径方向内側に突出するショルダー部８が形成されているマウント支持部３の断面漸減部に配置されている。支承部２、マウント支持部３、ばね体４、ダイアフラム５によって、減衰液で満たされている室部６の境界が画定されている。ばね体４は、弾性材料で形成され、かつその外周部に、円筒形状に形成されている補強部材又は補強リング11が設けられている。補強部材11の軸方向に延伸する円筒形状の部分は、ばね体４を形成するエラストマーによって取り囲まれている。この構成により、補強部材11を有するばね体４及び支承部２を、予め組立て可能なユニットとして形成することができる。マウント支持部３の外周に、隣接する部品に本発明のマウントを固定するための固定用フランジ12が設けられている。マウント支持部３の支承部２に対向する側又は隣接する部分には部分的にフランジが形成されている。この設計において、マウント支持部の舌状部分18が補強部材11を取り巻いてフランジを形成している。
【００２０】
図１は、室部６中に突出して設けられている盤状部材13を有する液圧式減衰マウント１を示す。盤状部材13は支承部２に固定されている。プルニップル19が、ダイアフラム５に同心に配設されている。プルニップル19は、真空条件下において、室部６を充填する際に、ダイアフラム５を固定するのに役立つ。プルニップル19には、ねじ山のついた穴20が設けられている。このねじ山付きの穴20には器具を固定することができる。ダイアフラム５の保護のために、マウント支持部３の軸方向で支承部２とは反対側にカバー17が配設され、このカバー17は、摩擦力による結合によってマウント支持部３に固定されている。
【００２１】
図２は、室部６内に配設されている流路式マウント14を備える液圧式減衰マウント１を示す。この流路式マウントによって、室部６は作動室15と平衡室16に分離される。作動室15と平衡室16は、減衰流路によって流れを導通させながら、流体が連通するように互いに接続されている。流路式マウント14は、予荷重がかかっている状態で摩擦力による結合によって、かつ液密にマウント支持部３内に配設されている。この予荷重によって、液圧式減衰マウント１に動的に負荷がかかる場合に流路式マウント14がずれるのを回避することができる。ダイアフラム５を保護するために、マウント支持部３の軸方向で支承部２とは反対側にカバー17が配設され、このカバー17は、摩擦力による結合によってマウント支持部３に固定されている。
【００２２】
図３は、盤状部材13及び流路式マウント14が室部６内に配設されている液圧式減衰マウント１を示す。盤状部材13は支承部２に固定されている。流路式マウントによって、室部６は作動室15と平衡室16に分離されている。作動室15と平衡室16は、減衰流路によって流れを導通させながら、流体が連通するように互いに接続されている。流路式マウント14は、予荷重がかかっている状態で摩擦力による結合によって、かつ液密にマウント支持部３内に配設されている。この予荷重によって、液圧式減衰マウント１に動的に負荷がかかる場合に流路式マウント14がずれるのを回避することができる。プルニップル19が、ダイアフラム５に同心に配設されている。プルニップル19は、真空条件下において、室部６を充填する際に、ダイアフラム５を固定するのに役立つ。プルニップル19には、ねじ山のついた穴20が設けられている。このねじ山付きの穴20には器具を固定することができる。この穴20はねじ21によって閉じることができ、このねじ21はパッキン22に予荷重をかけ、これにより液圧式減衰マウント１は、使用のために完全に組み立てられた後で密封することができる。
【図面の簡単な説明】
【００２３】
【図１】減衰要素として盤状部材が備えられている本発明の液圧式減衰マウントを示す図である。
【図２】減衰要素として流路式マウントが備えられている本発明の液圧式減衰マウントを示す図である。
【図３】盤状部材及び流路式マウントが備えられている本発明の液圧式減衰マウントを示す図である。
【符号の説明】
【００２４】
１      液圧式減衰マウント
２      支承部
３      マウント支持部
４      ばね体
５      ダイアフラム
６      室部
７      フランジ部
８      相補的なショルダー部
９      リング
１０      凸凹輪郭部
１１      補強部材
１２      固定用フランジ
１３      盤状部材
１４      流路式マウント
１５      作動室
１６      平衡室
１７      カバー
１８      舌状部分
１９      プルニップル
２０      穴
２１      ねじ
２２      パッキン
【図１】
2006226528.tif 000003
【図２】
2006226528.tif 000004
【図３】
2006226528.tif 000005